(57)【要約】【課題】  光ディスクに通常のデータとは別に特別なデータを埋め込むことにより違法な複製を不可能とし、これを簡単な構成で実現する。【解決手段】  光ディスクに記録されるデータを生成する変調信号発生器２と、この変調信号発生器２より出力されたデータから書き込みデータを生成する光記録回路３と、この光記録回路３より出力された書き込みデータに基づいて光ディスクの原盤１に光ビームを照射し、ピットを形成する光ビーム照射手段４と、を備え、ここで光記録回路３は、特別なデータに基づいて、光ディスクの原盤１に照射する光ビームのパワーを変え、ピットの幅を変化させることにより、特別なデータを埋め込むようにする。【選択図】  図１  
2005251243.tif 000002
【特許請求の範囲】
【請求項１】
光ディスクの原盤に光ビームを照射し、ピットを形成してデータを書き込む際に、特別なデータを埋め込む光情報記録方法であって、
特別なデータに基づいて、光ディスクの原盤に照射する光ビームのパワーを変え、ピットの幅を変化させることにより、特別なデータをディスクの線速方向に情報として埋め込むようにしたことを特徴とする光情報記録方法。
【請求項２】
光ディスクの原盤に光ビームを照射し、ピットを形成してデータを書き込む際に、特別なデータを埋め込む光情報記録方法であって、
特別なデータに基づいて、トラック単位で光ディスクの原盤に照射する光ビームのパワーを変え、ピットの幅を変化させることにより、特別なデータをディスクの半径方向に情報として埋め込むようにしたことを特徴とする光情報記録方法。
【請求項３】
請求項１または請求項２に記載の光情報記録方法によって光ディスクに埋め込まれた特別なデータを読み出す光情報再生方法であって、
光ディスクに形成されたピットを光学的に読み取ってデータを読み出す際に、ピットの幅の変化によるＲＦ信号のボトムレベル若しくは二値化スライスレベルを検出することにより、特別なデータを抽出するようにしたことを特徴とする光情報再生方法。
【請求項４】
光ディスクの原盤に光ビームを照射し、ピットを形成してデータを書き込む際に、特別なデータを埋め込む光情報記録装置であって、
光ディスクに記録されるデータを生成する変調信号発生器と、
上記変調信号発生器より出力されたデータから書き込みデータを生成する光記録回路と、
上記光記録回路より出力された書き込みデータに基づいて光ディスクの原盤に光ビームを照射し、ピットを形成する光ビーム照射手段と、
を備え、
上記光記録回路は、特別なデータに基づいて、光ディスクの原盤に照射する光ビームのパワーを変え、ピットの幅を変化させることにより、特別なデータをディスクの線速方向に情報として埋め込むようにしたことを特徴とする光情報記録装置。
【請求項５】
光ディスクの原盤に光ビームを照射し、ピットを形成してデータを書き込む際に、特別なデータを埋め込む光情報記録装置であって、
光ディスクに記録されるデータを生成する変調信号発生器と、
上記変調信号発生器より出力されたデータから書き込みデータを生成する光記録回路と、
上記光記録回路より出力された書き込みデータに基づいて光ディスクの原盤に光ビームを照射し、ピットを形成する光ビーム照射手段と、
を備え、
上記光記録回路は、特別なデータに基づいて、トラック単位で光ディスクの原盤に照射する光ビームのパワーを変え、ピットの幅を変化させることにより、特別なデータをディスクの半径方向に情報として埋め込むようにしたことを特徴とする光情報記録装置。
【請求項６】
請求項４または請求項５に記載の光情報記録装置によって光ディスクに埋め込まれた特別なデータを読み出す光情報再生装置であって、
光ディスクに形成されたピットを光学的に読み取る読み取り手段と、
上記読み取り手段で読み取ったピットからデータを読み出す光再生回路と、
上記光再生回路で読み出されたデータから特別なデータを抽出する特別データ処理回路と、
を備え、
上記特別データ処理回路は、ピットの幅の変化によるＲＦ信号のボトムレベル若しくは二値化スライスレベルを検出することにより、特別なデータを抽出するようにしたことを特徴とする光情報再生装置。
【発明の詳細な説明】
【技術分野】
【０００１】
本発明は、光ディスクの原盤に光ビームを照射し、ピットを形成してデータを書き込む際に、特別なデータを埋め込むようにした光情報記録方法及び装置、並びにこの光情報記録方法及び装置によって光ディスクに埋め込まれた特別なデータを読み出すための光情報再生方法及び装置に関する。
【背景技術】
【０００２】
近年、光ディスクメディア、特にプリレコーデットメディアにおいては、不正なコピーを防止するためのコピープロテクション技術が要求されている。
この際、光ディスクに記録されたデータを読み出してこれをそのままコピーする、いわゆるビットバイビットによる複製を行ったディスクでは再生不能にする対応が必要である。つまり、光ディスクに通常のデータ書き込みとは別の手法で特別なデータを埋め込むことにより、違法な複製を不可能とするものである。
【０００３】
従来、このように光ディスクに特別なデータを埋め込む手法としては、例えば下記の特許文献１に記載されているようなものがある。
即ちこの引用文献１に記載の記録方法では、光ディスクの原盤にレーザービームを照射し、ピットを形成してデータを書き込む際に、ピットの幅を局所的に変化させることで特別なデータを埋め込むようにしている。
【特許文献１】特開平１１−２９６８６４号公報
【発明の開示】
【発明が解決しようとする課題】
【０００４】
しかしながら、このような記録方法では、ピットの幅を局所的に変化させてデータを書き込むために複雑な信号処理を必要とし、またデータを読み出す再生系においても複雑な信号処理が必要となるので、そのための処理回路の規模が大きくなり、回路構成が複雑となる問題があった。
【０００５】
本発明は斯かる点に鑑みてなされたもので、簡単な回路構成で光ディスクに特別なデータを埋め込むことができ、光ディスクメディアのコピープロテクションに用いて好適な手法を提供することを目的とする。
【課題を解決するための手段】
【０００６】
上記の目的を達成するために本発明は、
光ディスクの原盤に光ビームを照射し、ピットを形成してデータを書き込む際に、特別なデータを埋め込む光情報記録方法であって、
特別なデータに基づいて、光ディスクの原盤に照射する光ビームのパワーを変え、ピットの幅を変化させることにより、特別なデータをディスクの線速方向に情報として埋め込むようにしたことを特徴とする。
【０００７】
また本発明は、
特別なデータに基づいて、トラック単位で光ディスクの原盤に照射する光ビームのパワーを変え、ピットの幅を変化させることにより、特別なデータをディスクの半径方向に情報として埋め込むようにしたことを特徴とする。
【０００８】
そして上記の光情報記録方法によって光ディスクに埋め込まれた特別なデータを読み出す場合、本発明では、
光ディスクに形成されたピットを光学的に読み取ってデータを読み出す際に、ピットの幅の変化によるＲＦ信号のボトムレベル若しくは二値化スライスレベルを検出することにより、特別なデータを抽出するようにしたことを特徴とする。
【発明の効果】
【０００９】
光ディスクメディア、特にプリレコーデットメディアにおいては、不正なコピーを防止するためのコピープロテクション技術が要求されているが、本発明はその中の一つとして好適に採用することができる。
【００１０】
即ち、本発明の方法によって光ディスクに書き込まれたデータをいわゆるビットバイビットで複製した場合、通常のデータは複製されるが、特別なデータはピット幅として埋め込まれているため複製できず、消失することになる。そのため通常では読めない特別なデータとして、コピープロテクト用のキーや、ＲＯＭディスクであることのＩＤなどを埋め込むことが可能となる。また、他の技術との組み合わせが可能であり、より複雑、高度なコピープロテクションが可能となる。
【００１１】
そして本発明の方法は、記録系、再生系とも複雑な信号処理を必要としないので、既存の記録装置と再生装置に若干の変更を加えるだけの簡単な回路構成で上記の機能を盛り込むことができ、容易に実施が可能である。
【発明を実施するための最良の形態】
【００１２】
以下、図面を参照しながら本発明の実施例について説明する。
本発明によるシステム構成は、記録系(生成系)と再生系の２つに分かれており、記録系の構成を図１、再生系の構成を図２に示す。
【００１３】
先ず、図１の記録系について説明する。この記録系は通常マスタリング装置と呼ばれているもので、即ち光ディスクの原盤１にレーザービームによってデータを書き込み、マスターを生成する装置である。
このマスタリング装置では、光ディスクに書き込まれるデータが変調信号発生器２で変調され、そこから出力されたデータが光記録回路３を経由し、光ビーム照射手段である光学ヘッド４から光ディスク原盤１に書き込まれる。ここで光学ヘッド４は、光ディスク原盤１の記録面にレーザービームを照射してピットを形成し、データの書き込みを行う。
【００１４】
このデータ書き込み時に光ディスク原盤１は、スピンドルモータ７によって回転駆動され、これに伴って光学ヘッド４は、ヘッド送り機構５によって光ディスク原盤１の半径方向に移動される。この際、システムコントローラ９がヘッド送り制御回路６を介してヘッド送り機構５を制御すると共に、回転制御回路８を介してスピンドルモータ７の回転を制御することにより、例えばＣＤ−ＤＡ(Compact Disc−Digital Audio:音楽用コンパクトディスク)のような線速度一定型ディスクの場合、トラックピッチ、線密度を一定に保ちながら、ディスク原盤１へのデータの書き込みが行われる。
【００１５】
このマスタリング装置によるデータの書き込みについてさらに詳細に説明する。
ここで変調信号発生器２は、例えばＣＤ−ＤＡのディスク製造の場合、ＣＤ−ＤＡ用のＥＦＭ(Eight to Fourteen Modulation)信号を生成し出力する。また変調信号発生器２は、ＥＦＭ信号とは別に埋め込む特別なデータであるキーデータを保持する。ここでのキーデータとは、例えば暗号化のためのキーであったり、プリマスタードであることを知らせるディスクＩＤとして用いたりするものである。
【００１６】
変調信号発生器２から出力されたＥＦＭ信号は光記録回路３へ入力され、同時にキーデータも光記録回路３に入力される。変調信号発生器２とシステムコントローラ９は、位置情報や線速情報などの通信を行う。システムコントローラ９は、回転制御回路８をコントロールすることにより、光ディスク原盤１の線速度を一定に保ち、それと同時に変調信号発生器２から出力されたＥＦＭデータが光記録回路３を経由して光学ヘッド４から光ディスク原盤１に書き込まれて行く。
【００１７】
光記録回路３は、変調信号発生器２から出力されたＥＦＭデータとキーデータから光ディスク原盤への書き込みデータを生成し出力する。この際、例えばキーデータが１(High)のときは書き込みのレーザーパワーを上げ、０ (Low)のときはレーザーパワーを下げるようにする。これにより、光ディスク原盤に書き込まれるデータのピットの幅を変化させることができる。
【００１８】
図３にキーデータをディスクの線速方向に埋め込む場合の記録パターンの例を示す。
即ちここで(Ａ)はキーデータ、(Ｂ)はＥＦＭ信号、(Ｃ)はレーザーパワー、(Ｄ)はピットパターンを示し、(Ａ)のようなキーデータに基づいて書き込みを行うと、(Ｄ)のようなピットパターンが形成される。この場合、キーデータが１(High)のときはレーザーパワーが上がることによってピットの幅が大きくなり、キーデータが０ (Low)のときはレーザーパワーが下がることによってピットの幅が小さくなるように変化する。これにより、キーデータをピットの幅情報に変調し、ディスクの線速方向に埋め込むことができる。
【００１９】
さらに、キーデータをディスクの半径方向に埋め込む場合について説明する。
図１に示す記録系では、ディスク原盤の回転を制御する回転制御回路８から回転パルスが出力され、光記録回路３に入力される。光記録回路３は、この回転パルスを計数カウントすることにより１周分、つまり１トラックピッチ周期を計測し、この計測されたトラック周期に同期して、前述した如きキーデータによるピット幅の変調を行う。この場合、キーデータ１ビットに対して数トラック単位でピット幅の変調を行うようにする。これにより、ディスクの半径方向に数トラックで１ビットのキーデータを埋め込むことができる。
【００２０】
図５はキーデータをディスクの半径方向に埋め込んだ場合のピットパターンを示し、即ちこのようにディスク原盤１に書き込まれるデータのピットＰの幅をキーデータに基づいてトラック単位で大きい幅と小さい幅に変化させることにより、ディスクの半径方向にキーデータを埋め込むものである。
【００２１】
次に、図２の再生系について説明する。この再生系は一般にディスクプレーヤ(またはディスクドライブ)と呼ばれるもので、即ち光ディスク１１に記録されたデータを読み出して再生する装置である。
なお、ここで再生される光ディスク１１は、前述した図１の記録系でデータが書き込まれたディスク原盤１をマスターとしてプレス生産された再生専用の光ディスク(いわゆるコンパクトディスク)である。
【００２２】
このディスクプレーヤでは、光ディスク１１に書き込まれたデータのピットが読み取り手段である光学ヘッド１２によって読み取られ、ここで読み取られたピットから光再生回路１３においてデータが読み出される。
【００２３】
このデータ読み出し時に光ディスク１１は、スピンドルモータ１４によって回転駆動され、これに伴って光学ヘッド１２は、ヘッド送り機構１５によって光ディスク１１の半径方向に移動される。この際、光再生回路１３からサーボ信号処理回路１６を経由してシステムコントローラ１７にサーボ信号が送られ、これに基づいてシステムコントローラ１７は、ヘッド送り制御回路１８を介してヘッド送り機構１５を制御すると共に、トラッキング制御回路１９を介して光学ヘッド１２のトラッキング制御を行い、さらに回転制御回路２０を介してスピンドルモータ１４の回転を制御して光ディスク１１の線速度を一定に保ちながらデータの読み出しを行う。
【００２４】
ここで光再生回路１３では、光学ヘッド１２で読み取られたピットからデータが読み出され、その中からＥＦＭ信号が再生データ処理回路２１において処理されて、通常のデータ再生が行われる。
【００２５】
そして、これと同時に光再生回路１３を経由してキーデータ処理回路２２にＲＦ信号が送られる。その信号には、前述の方法で書き込まれたキーデータ成分が含まれており、このときピットの幅が大きいところでＲＦ信号のボトムレベルが低下する。キーデータ処理回路２２では、このＲＦ信号のボトムレベルを検出し、若しくは二値(デジタル)化用コンパレータ出力のスライスレベルつまりは平均値のレベル検出を行うことにより、キーデータの抽出を行う。
【００２６】
図４にキーデータの再生パターンの例を示す。
即ちここで(Ａ)はピットパターン、(Ｂ)はＲＦ信号、(Ｃ)はＥＦＭ信号、(Ｄ)はキーデータを示し、(Ａ)のようなピットパターンから(Ｄ)のようなキーデータが抽出される。この場合、ピットの幅が小さい部分ではキーデータが０ (Low)となり、ピットの幅が大きくなるとＲＦ信号のボトムレベルが低下し、その変化よってキーデータが１(High)となるようにキーデータの抽出が行われる。
【００２７】
以上に説明した如き本発明によるシステム構成は、特にプリレコーデットメディアにおいて、不正なコピーを防止するためのコピープロテクション技術に好適に採用することができる。
即ち、本発明の方法によって光ディスクに書き込まれたデータをいわゆるビットバイビットで複製した場合、通常のデータは複製されるが、キーデータはピット幅として埋め込まれているため複製できず、消失することになる。そのため通常では読めない特別なデータとして、コピープロテクト用のキーや、ＲＯＭディスクであることのＩＤなどを埋め込むことが可能となる。
【００２８】
特に本発明では、ディスク半径方向にキーデータを埋め込んだ場合に複製処理が困難であるという特徴がある。即ち、仮にピット幅情報を含めたデータの読み取りが可能であるディスクプレーヤを用いて読み取りを行い、このデータをそのままカッティングマシンを用いて複製する場合を考えると、そこでディスクプレーヤ側の回転速度とカッティングマシン側の回転速度が完全に一致しない場合、ディスク半径方向の情報については１回転ごとに誤差が生じ、最終的にはデータとして意味をなさないものになる。通常のディスクプレーヤ(ディスクドライブ)では、内部のマスタークロックに同期したＰＬＬ、回転同期がかけられるため、カッティングマシン内の回転制御用クロックと完全に同期することは殆ど不可能となり、ディスクプレーヤとカッティングマシンとの間の回転速度が完全に一致することはほぼありえない。従って、本発明のようにディスク半径方向にキーデータを埋め込んだ場合の複製処理は、殆ど不可能なものとなる。
【００２９】
そして本発明は、前述のように記録系、再生系とも複雑な信号処理を必要としないので、既存の記録装置と再生装置に若干の変更を加えるだけの簡単な回路構成で上記の機能を盛り込むことができ、容易に実施が可能なものである。
【図面の簡単な説明】
【００３０】
【図１】本発明による光情報記録装置の構成概略図である。
【図２】本発明による光情報再生装置の構成概略図である。
【図３】本発明による記録パターンの説明図である。
【図４】本発明による再生パターンの説明図である。
【図５】本発明によるディスク半径方向の記録パターンの説明図(ピットの拡大図)である。
【符号の説明】
【００３１】
１…光ディスク原盤
２…変調信号発生器
３…光記録回路
４…光学ヘッド（光ビーム照射手段）
１１…光ディスク
１２…光学ヘッド（読み取り手段）
１３…光再生回路
２２…キーデータ処理回路（特別データ処理回路）
【図１】
2005251243.tif 000003
【図２】
2005251243.tif 000004
【図３】
2005251243.tif 000005
【図４】
2005251243.tif 000006
【図５】
2005251243.tif 000007